(57)【要約】【課題】イベントメッセージ又はモジュールに含まれる情報を、イベントメッセージ又はモジュールを送信する放送エリア又は放送局に応じて、情報を表示するか、しないかを受信機側で判断することができる技術を提供すること。【解決手段】送信元を識別する送信元識別情報を少なくとも含むイベントメッセージ又はモジュールを生成し、このイベントメッセージ又はモジュールを放送する。受信機では、イベントメッセージ又はモジュールを受信し、この受信したイベントメッセージ又はモジュールの放送信号から送信元識別情報を取得する。受信したイベントメッセージ又はモジュールに含まれる送信元識別情報と、取得した送信元識別情報とを照合し、この照合結果に基づいて、情報の表示を制御する。【選択図】図１
2007282041.tif 000002
【特許請求の範囲】
【請求項１】
放送システムであって、
送信元を識別する送信元識別情報を少なくとも含むイベントメッセージ又はモジュールを生成する生成手段と、
前記イベントメッセージ又はモジュールを受信し、この受信したイベントメッセージ又はモジュールの放送信号から送信元識別情報を取得する取得手段と、
前記受信したイベントメッセージ又はモジュールに含まれる送信元識別情報と、前記取得手段により取得した送信元識別情報とを照合し、この照合結果に基づいて、情報の表示を制御する表示制御手段と
を有することを特徴とする放送システム。
【請求項２】
放送システムであって、
提供情報と、送信元を識別する送信元識別情報とを少なくとも含むイベントメッセージ又はモジュールを生成する生成手段と、
前記イベントメッセージ又はモジュールを受信し、この受信したイベントメッセージ又はモジュールの放送信号から送信元識別情報を取得する取得手段と、
前記受信したイベントメッセージ又はモジュールに含まれる送信元識別情報と、前記取得手段により取得した送信元識別情報とを照合し、この照合結果に基づいて、前記提供情報の表示を制御する表示制御手段と
を有することを特徴とする放送システム。
【請求項３】
前記送信元識別情報が、ネットワーク識別子、ＴＳ識別子、又は、サービス識別子であることを特徴とする請求項１又は請求項２に記載の放送システム。
【請求項４】
前記生成手段は、複数の送信元識別情報を含んだイベントメッセージ又はモジュールを生成し、
前記表示制御手段は、前記イベントメッセージ又はモジュールに含まれる複数の送信元識別情報と、前記取得手段により取得した送信元識別情報とを照合し、この照合結果に基づいて、前記提供情報の表示を制御する
ことを特徴とする請求項１から請求項３のいずれかに記載の放送システム。
【請求項５】
放送方法であって、
送信元を識別する送信元識別情報を少なくとも含むイベントメッセージ又はモジュールを送信し、
前記イベントメッセージ又はモジュールを受信し、この受信したイベントメッセージ又はモジュールの放送信号から送信元識別情報を取得する取得手段と、
前記受信したイベントメッセージ又はモジュールに含まれる送信元識別情報と、前記取得手段により取得した送信元識別情報とを照合し、この照合結果に基づいて、情報の表示を制御する
ことを特徴とする放送方法。
【請求項６】
放送方法であって、
提供情報と送信元を識別する送信元識別情報とを少なくとも含むイベントメッセージ又はモジュールを生成し、このイベントメッセージ又はモジュールを放送し、
前記イベントメッセージ又はモジュールを受信し、この受信したイベントメッセージ又はモジュールの放送信号から送信元識別情報を取得し、
前記受信したイベントメッセージ又はモジュールに含まれる送信元識別情報と、前記取得手段により取得した送信元識別情報とを照合し、この照合結果に基づいて、前記提供情報の表示を制御する
ことを特徴とする放送方法。
【請求項７】
前記送信元識別情報が、ネットワーク識別子、ＴＳ識別子、又は、サービス識別子であることを特徴とする請求項５又は請求項６に記載の放送方法。
【請求項８】
複数の送信元識別情報を含んだイベントメッセージ又はモジュールを生成し、このイベントメッセージ又はモジュールを放送し、
前記イベントメッセージ又はモジュールに含まれる複数の放送識別情報と、前記取得した放送識別情報とを照合し、この照合結果に基づいて、前記提供情報の表示を制御する
ことを特徴とする請求項５から請求項７のいずれかに記載の放送方法。
【請求項９】
受信機であって、
送信元を識別する送信元識別情報を少なくとも含むイベントメッセージ又はモジュールを受信し、この受信したイベントメッセージ又はモジュールの放送信号から送信元識別情報を取得する取得手段と、
前記受信したイベントメッセージ又はモジュールに含まれる送信元識別情報と、前記取得手段により取得した送信元識別情報とを照合し、この照合結果に基づいて、情報の表示を制御する表示制御手段と
を有することを特徴とする受信機。
【請求項１０】
受信機であって、
提供情報と、送信元を識別する送信元放送識別情報を少なくとも含むイベントメッセージ又はモジュールを受信し、この受信したイベントメッセージ又はモジュールの放送信号から送信元識別情報を取得する取得手段と、
前記受信したイベントメッセージ又はモジュールに含まれる送信元識別情報と、前記取得手段により取得した送信元識別情報とを照合し、この照合結果に基づいて、前記提供情報の表示を制御する表示制御手段と
を有することを特徴とする受信機。
【請求項１１】
前記放送識別情報が、ネットワーク識別子、ＴＳ識別子、又は、サービス識別子であることを特徴とする請求項９又は請求項１０に記載の受信機。
【請求項１２】
前記表示制御手段は、イベントメッセージ又はモジュールに複数の送信元識別情報が含まれている場合、前記複数の送信元識別情報と前記取得手段により取得した送信元識別情報とを照合するように構成されていることを特徴とする請求項９から請求項１１のいずれかに記載の受信機。
【請求項１３】
受信機の制御プログラムであって、
送信元を識別する送信元識別情報を少なくとも含むイベントメッセージ又はモジュールを受信し、この受信したイベントメッセージ又はモジュールの放送信号から送信元識別情報を取得する取得処理と、
前記受信したイベントメッセージ又はモジュールに含まれる送信元識別情報と、前記取得処理により取得した送信元識別情報とを照合し、この照合結果に基づいて、情報の表示を制御する表示制御処理と
を前記受信機に実行させることを特徴とする受信機の制御プログラム。
【請求項１４】
受信機の制御プログラムであって、
提供情報と、送信元を識別する送信元識別情報とを少なくとも含むイベントメッセージ又はモジュールを受信し、この受信したイベントメッセージ又はモジュールの放送信号から送信元識別情報を取得する取得処理と、
前記受信したイベントメッセージ又はモジュールに含まれる送信元識別情報と、前記取得処理により取得した送信元識別情報とを照合し、この照合結果に基づいて、前記提供情報の表示を制御する表示制御処理と
を前記受信機に実行させることを特徴とする受信機の制御プログラム。
【請求項１５】
前記放送識別情報が、ネットワーク識別子、ＴＳ識別子、サービス識別子であることを特徴とする請求項１３又は請求項１４に記載の受信機の制御プログラム。
【請求項１６】
前記表示制御処理は、イベントメッセージ又はモジュールに複数の送信元識別情報が含まれている場合、前記複数の送信元識別情報と前記取得手段により取得した送信元識別情報とを照合する処理であることを特徴とする請求項１３から請求項１５のいずれかに記載の受信機の制御プログラム。
【請求項１７】
放送システムであって、
送信元を識別する送信元識別情報を少なくとも含むイベントメッセージ又はモジュールを生成する生成手段と、
受信したイベントメッセージ又はモジュールの放送信号から送信元識別情報を取得し、前記受信したイベントメッセージ又はモジュールに含まれる送信元識別情報と、前記取得手段により取得した送信元識別情報とを照合し、この照合結果に基づいて、情報の表示を制御するプログラムと、前記生成されたイベントメッセージ又はモジュールとを送信する送信手段と
を有することを特徴とする放送システム。
【請求項１８】
放送システムであって、
提供情報と、送信元を識別する送信元識別情報とを少なくとも含むイベントメッセージ又はモジュールを生成する生成手段と、
受信したイベントメッセージ又はモジュールの放送信号から送信元識別情報を取得し、前記受信したイベントメッセージ又はモジュールに含まれる送信元識別情報と、前記取得手段により取得した送信元識別情報とを照合し、この照合結果に基づいて、前記提供情報の表示を制御するプログラムと、前記生成されたイベントメッセージ又はモジュールとを送信する送信手段と
を有することを特徴とする放送システム。
【発明の詳細な説明】
【技術分野】
【０００１】
本発明は放送システム、放送方法、受信機及びそのプログラムに関し、特に、データ放送のイベントメッセージ又はモジュールに含まれる情報の表示の技術にかかる放送システム、放送方法、受信機及びそのプログラムに関する。
【背景技術】
【０００２】
近年、地上デジタル放送が開始され、それに伴いデータ放送も開始された。
【０００３】
このデータ放送は、ＢＭＬ文書やＪＰＥＧ、ＰＮＧ、バイナリテーブルなどのリソースを、データカルーセル伝送方式によって伝送する。データカルーセル伝送方式は、複数のファイルをＭＰＥＧ−２のセクションに分割して繰り返し送出する伝送方式であり、ＤＳＭ−ＣＣ規格に準拠している。
【０００４】
データ放送では、放送波を利用してインタラクティブコンテンツの再生を可能とするために、視聴者が任意のタイミングで切替えを行っても必要なファイルが取得できるよう、コンテンツを構成するファイル群はデータカルーセルにより繰り返し送出される。視聴者のリモコン操作などでファイルの切替え指示が発生すると、受信機は、その都度必要なファイルだけをカルーセルから取得して画面に表示する。
【０００５】
データカルーセル伝送方式では下記の２種類のメッセージを用いてデータが伝送される。
（１）ＤｏｗｎｌｏａｄＩｎｆｏＩｎｄｉｃａｔｉｏｎ(ＤＩＩ)メッセージ：カルーセル中のデータのディレクトリ情報を伝送するメッセージである。
（２）ＤｏｗｎｌｏａｄＤａｔａＢｌｏｃｋ(ＤＤＢ)メッセージ：データ本体を伝送するメッセージである。
【０００６】
ＤＩＩメッセージは、ディレクトリ情報として、カルーセルの識別情報や各モジュールに関する情報を含み、セクションとして伝送される。一方、データは、ブロック(ＤＤＢ)に分割されたモジュール(ｍｏｄｕｌｅ)と呼ばれる単位で伝送される。モジュール末尾のブロック以外のすべてのブロックは同じサイズであり、各ブロックはセクションとして伝送される。
【０００７】
更に、データ放送では、受信機上で実行中のコンテンツに対して、局から任意のタイミングでメッセージングを行うイベントメッセージ伝送方式が規定されている。イベントメッセージは、データ放送サービスの大きな特徴の一つであるテレビ番組と連動したサービスを行ううえでの下記の要件を満たすために規定されたものである。
（１）すべての受信機の表示を一斉に切り替えたい。
（２）映像と同期してデータ表示を変えたい。
【０００８】
このような特徴をもつイベントメッセージであるが、イベントメッセージ自体に緊急情報等のメッセージを含め、イベントメッセージを受信すると、そのメッセージを受信機に表示する技術が提案されている（特許文献１）。
【０００９】
この特許文献１に記載された技術では、イベントメッセージはメッセージＩＤと緊急情報を示す出力内容とから構成される。イベントメッセージを受信した受信機は、メッセージＩＤに基づいて、出力形態を決定する。そして、この出力形態に基づいて、出力内容を表示する技術である。
【００１０】
【特許文献１】国際公開番号  ＷＯ００／７４２７９
【発明の開示】
【発明が解決しようとする課題】
【００１１】
ところで、特許文献１の技術では、受信機では、受信した全てのイベントメッセージについて、出力形態に基づいて出力内容が表示される。すなわち、本来出力すべきでないメッセージでも表示されてしまう。
【００１２】
一方、テレビ放送では、多数のネットワーク局でひとつのコンテンツを共用する場合もあるが、キー局やネットワーク局単独でコンテンツを作成し、このコンテンツを単独の放送エリアのみで放送する場合もある。
【００１３】
上述の特許文献１の技術では、上記のようなテレビ放送の実情が考慮されておらず、特許文献１の技術を用いる場合、表示したくない放送エリアでは、そのようなイベントメッセージを別途取り除く作業が必要であり、手間とコストがかかるという課題があった。
【００１４】
そこで、本発明は上記課題に鑑みて発明されたものであって、その目的はイベントメッセージ又はモジュールに含まれる情報を、イベントメッセージ又はモジュールを送信する放送エリア又は放送局に応じて、情報を表示するか、しないかを受信機側で判断することができる技術を提供することにある。
【課題を解決するための手段】
【００１５】
上記課題を解決する本発明は、放送システムであって、送信元を識別する送信元識別情報を少なくとも含むイベントメッセージ又はモジュールを生成する生成手段と、前記イベントメッセージ又はモジュールを受信し、この受信したイベントメッセージ又はモジュールの放送信号から送信元識別情報を取得する取得手段と、前記受信したイベントメッセージ又はモジュールに含まれる送信元識別情報と、前記取得手段により取得した送信元識別情報とを照合し、この照合結果に基づいて、情報の表示を制御する表示制御手段とを有することを特徴とする。
【００１６】
上記課題を解決する本発明は、放送システムであって、提供情報と、送信元を識別する送信元識別情報とを少なくとも含むイベントメッセージ又はモジュールを生成する生成手段と、前記イベントメッセージ又はモジュールを受信し、この受信したイベントメッセージ又はモジュールの放送信号から送信元識別情報を取得する取得手段と、前記受信したイベントメッセージ又はモジュールに含まれる送信元識別情報と、前記取得手段により取得した送信元識別情報とを照合し、この照合結果に基づいて、前記提供情報の表示を制御する表示制御手段とを有することを特徴とする。
【００１７】
上記課題を解決する本発明は、放送方法であって、送信元を識別する送信元識別情報を少なくとも含むイベントメッセージ又はモジュールを送信し、前記イベントメッセージ又はモジュールを受信し、この受信したイベントメッセージ又はモジュールの放送信号から送信元識別情報を取得する取得手段と、前記受信したイベントメッセージ又はモジュールに含まれる送信元識別情報と、前記取得手段により取得した送信元識別情報とを照合し、この照合結果に基づいて、情報の表示を制御することを特徴とする。
【００１８】
上記課題を解決する本発明は、放送方法であって、提供情報と送信元を識別する送信元識別情報とを少なくとも含むイベントメッセージ又はモジュールを生成し、このイベントメッセージ又はモジュールを放送し、前記イベントメッセージ又はモジュールを受信し、この受信したイベントメッセージ又はモジュールの放送信号から送信元識別情報を取得し、前記受信したイベントメッセージ又はモジュールに含まれる送信元識別情報と、前記取得手段により取得した送信元識別情報とを照合し、この照合結果に基づいて、前記提供情報の表示を制御することを特徴とする。
【００１９】
上記課題を解決する本発明は、受信機であって、送信元を識別する送信元識別情報を少なくとも含むイベントメッセージ又はモジュールを受信し、この受信したイベントメッセージ又はモジュールの放送信号から送信元識別情報を取得する取得手段と、前記受信したイベントメッセージ又はモジュールに含まれる送信元識別情報と、前記取得手段により取得した送信元識別情報とを照合し、この照合結果に基づいて、情報の表示を制御する表示制御手段とを有することを特徴とする。
【００２０】
上記課題を解決する本発明は、受信機であって、提供情報と、送信元を識別する送信元放送識別情報を少なくとも含むイベントメッセージ又はモジュールを受信し、この受信したイベントメッセージ又はモジュールの放送信号から送信元識別情報を取得する取得手段と、前記受信したイベントメッセージ又はモジュールに含まれる送信元識別情報と、前記取得手段により取得した送信元識別情報とを照合し、この照合結果に基づいて、前記提供情報の表示を制御する表示制御手段とを有することを特徴とする。
【００２１】
上記課題を解決する本発明は、受信機の制御プログラムであって、送信元を識別する送信元識別情報を少なくとも含むイベントメッセージ又はモジュールを受信し、この受信したイベントメッセージ又はモジュールの放送信号から送信元識別情報を取得する取得処理と、前記受信したイベントメッセージ又はモジュールに含まれる送信元識別情報と、前記取得処理により取得した送信元識別情報とを照合し、この照合結果に基づいて、情報の表示を制御する表示制御処理とを前記受信機に実行させることを特徴とする。
【００２２】
上記課題を解決する本発明は、受信機の制御プログラムであって、提供情報と、送信元を識別する送信元識別情報とを少なくとも含むイベントメッセージ又はモジュールを受信し、この受信したイベントメッセージ又はモジュールの放送信号から送信元識別情報を取得する取得処理と、前記受信したイベントメッセージ又はモジュールに含まれる送信元識別情報と、前記取得処理により取得した送信元識別情報とを照合し、この照合結果に基づいて、前記提供情報の表示を制御する表示制御処理とを前記受信機に実行させることを特徴とする。
【００２３】
上記課題を解決する本発明は、放送システムであって、送信元を識別する送信元識別情報を少なくとも含むイベントメッセージ又はモジュールを生成する生成手段と、受信したイベントメッセージ又はモジュールの放送信号から送信元識別情報を取得し、前記受信したイベントメッセージ又はモジュールに含まれる送信元識別情報と、前記取得手段により取得した送信元識別情報とを照合し、この照合結果に基づいて、情報の表示を制御するプログラムと、前記生成されたイベントメッセージ又はモジュールとを送信する送信手段とを有することを特徴とする。
【００２４】
上記課題を解決する本発明は、放送システムであって、提供情報と、送信元を識別する送信元識別情報とを少なくとも含むイベントメッセージ又はモジュールを生成する生成手段と、受信したイベントメッセージ又はモジュールの放送信号から送信元識別情報を取得し、前記受信したイベントメッセージ又はモジュールに含まれる送信元識別情報と、前記取得手段により取得した送信元識別情報とを照合し、この照合結果に基づいて、前記提供情報の表示を制御するプログラムと、前記生成されたイベントメッセージ又はモジュールとを送信する送信手段とを有することを特徴とする。
【発明の効果】
【００２５】
本発明によれば、イベントメッセージ又はモジュールに含まれる情報を、イベントメッセージ又はモジュールを送信する放送エリア又は放送局に応じて、情報を表示するか、しないかを受信機側で判断することができる。
【発明を実施するための最良の形態】
【００２６】
本発明の第１の実施の形態を説明する。
【００２７】
図１は本発明の第１の実施の形態における構成図である。
【００２８】
図１中、１はＴＳ発局（例えば、キー局）であり、２はＴＳ受局（例えば、ネットワーク局）である。
【００２９】
ＴＳ発局１は、イベントメッセージを生成するイベントメッセージ生成部１１と、ＢＭＬ文書や、イベントメッセージを多重化するデータ放送多重化部１２と、データ放送と、本線側の映像、音声とを多重化する本線多重化部１３とを備える。
【００３０】
イベントメッセージ生成部１１は、表示する提供情報（例えば、広告やメッセージ情報）と、送信元を識別する送信元識別情報とが、少なくともプライベートデータ領域に記載されたイベントメッセージを生成する。ここで、送信元識別情報とは、PAT、NIT、SDT、BIT等に記載されている送信元を識別する識別情報であって、具体的には、ＴＳ（Transport Stream  以下単にＴＳと記載する）を識別するＴＳ識別子や、ネットワーク識別子、ＴＳ識別子、サービス識別子等がある。以下の説明では、送信元識別情報としてＴＳ識別子を例にして説明する。
【００３１】
データ放送多重化部１２は、イベントメッセージ生成部１１で生成されたイベントメッセージや、他のデータ放送に用いられるモジュール、ＢＭＬ（Broadcast Markup Language  以下単にＢＭＬと記載する）文書等を多重する手段である。多重されるＢＭＬ文書には、イベントメッセージの表示判定プログラムも含む。この表示判定プログラムの一例を図２に示す。図２に示される例では、プライベートデータ領域にＴＳ識別子が記載されていない場合には、プライベート領域に記述されている提供情報を表示し、プライベートデータ領域にＴＳ識別子が記載されている場合には、そのＴＳ識別子と、受信したイベントメッセージを送出したＴＳのＴＳ識別子とが一致しなければ、提供情報を表示しないプログラムが記述されている。尚、イベントメッセージを送出したＴＳのＴＳ識別子は、プログラム中の“getProgramID”により取得される。
【００３２】
ＴＳ受局２は、ＴＳ発局１と同様に、イベントメッセージを生成するイベントメッセージ生成部２１と、ＢＭＬ文書や、イベントメッセージを多重化するデータ放送多重化部２２と、データ放送と、本線側の映像、音声とを多重化する本線多重化部２３とを備える。尚、ＴＳ受局２は、ＴＳ発局１に追加して、データ放送多重化部２２において、ＴＳ発局１から受信したイベントメッセージや、ＢＭＬ文書等も多重される。
【００３３】
次に、第１の実施の形態の動作を説明する。
【００３４】
まず、図１に示される如く、ＴＳ発局１は、イベントメッセージ生成部１１により、イベントメッセージ１（以下、単にＥＭ１と記載する）と、イベントメッセージ２（以下、単にＥＭ２と記載する）とを生成する。ＥＭ１のプライベート領域には、表示情報“ＡＡＡ、今夜１０時、全国放送開始”が少なくとも記述されている。また、ＥＭ２のプライベート領域には、表示情報“ＢＢＢ、今夜１１時、関東地区放送開始”と、ＴＳ識別子“７ＸＸＸ”とが少なくとも記述されている。
【００３５】
これらのＥＭ１及びＥＭ２は、データ放送多重化部１２により、イベントメッセージの表示判定プログラム（以下、単にＢＭＬと記載する）と共に多重化され、本線多重化部１３に送出される。また、多重化されたＥＭ１、ＥＭ２及びＢＭＬは、ＴＳ受局２にも送出される。
【００３６】
本線多重化部１３では、多重化されたデータ放送のデータと本線側の映像、音声とが多重化されて、ＴＳ識別子“７ＸＸＸ”のＴＳからオンエアされる。
【００３７】
一方、ＴＳ受局２は、イベントメッセージ生成部２１により、イベントメッセージ３（以下、単にＥＭ３と記載する）を生成する。ＥＭ３のプライベート領域には、表示情報“ＺＺＺ、今夜１０時、近畿地区放送開始”と、ＴＳ識別子“７ＹＹＹ”とが少なくとも記述されている。
【００３８】
このＥＭ３は、データ放送多重化部２２により、ＴＳ発局１から受信したＥＭ１、ＥＭ２及びＢＭＬと共に多重化され、本線多重化部２３に送出される。
【００３９】
本線多重化部２３では、多重化されたデータ放送のデータと本線側の映像、音声とが多重化されて、ＴＳ識別子“７ＹＹＹ”のＴＳからオンエアされる。
【００４０】
ＴＳ識別子“７ＸＸＸ”のＴＳを受信した受信機３では、ＥＭ１、ＥＭ２及びＢＭＬが受信される。受信機３は、ＢＭＬの表示判定プログラムにより、ＥＭ１、ＥＭ２の表示の判定を行う。
【００４１】
ここで、ＥＭ１のプライベート領域には、表示情報“ＡＡＡ、今夜１０時、全国放送開始”が記述されており、ＴＳ識別子がプライベート領域に記述されていないので、図３に示す如く、受信機３にはＡＡＡ、今夜１０時、全国放送開始”が表示される。
【００４２】
また、ＥＭ２のプライベート領域には、表示情報“ＢＢＢ、今夜１１時、関東地区放送開始”とＴＳ識別子“７ＸＸＸ”とが記述されており、ＴＳ識別子がプライベート領域に記述されている。そこで、ＥＭ２のプライベート領域には記述されているＴＳ識別子と、ＥＭ２が送出されたＴＳのＴＳ識別子（プログラム中の“getProgramID”により取得される）とを比較する。ここでは、ＥＭ２のプライベート領域には記述されているＴＳ識別子は“７ＸＸＸ”であり、ＥＭ２が送出されたＴＳのＴＳ識別子は“７ＸＸＸ”である。従って、ＥＭ２のプライベート領域には記述されているＴＳ識別子と、ＥＭ２が送出されたＴＳのＴＳ識別子とが一致しているので、図３に示す如く、“ＢＢＢ、今夜１１時、関東地区放送開始”が受信機３に表示される。
【００４３】
一方、ＴＳ識別子“７ＹＹＹ”のＴＳを受信した受信機４では、ＥＭ１、ＥＭ２、ＥＭ３及びＢＭＬが受信される。受信機４は、ＢＭＬの表示判定プログラムにより、ＥＭ１、ＥＭ２、ＥＭ３の表示の判定を行う。
【００４４】
ここで、ＥＭ１のプライベート領域には、表示情報“ＡＡＡ、今夜１０時、全国放送開始”が記述されており、ＴＳ識別子がプライベート領域に記述されていないので、図４に示す如く、受信機４にはＡＡＡ、今夜１０時、全国放送開始”が表示される。
【００４５】
また、ＥＭ２のプライベート領域には、表示情報“ＢＢＢ、今夜１１時、関東地区放送開始”とＴＳ識別子“７ＸＸＸ”とが記述されており、ＴＳ識別子がプライベート領域に記述されている。そこで、ＥＭ２のプライベート領域には記述されているＴＳ識別子と、ＥＭ２が送出されたＴＳのＴＳ識別子（プログラム中の“getProgramID”により取得される）とを比較する。ここでは、ＥＭ２のプライベート領域には記述されているＴＳ識別子は“７ＸＸＸ”であり、ＥＭ２が送出されたＴＳのＴＳ識別子は“７ＹＹＹ”である。従って、ＥＭ２のプライベート領域には記述されているＴＳ識別子と、ＥＭ２が送出されたＴＳのＴＳ識別子とが一致しないので、“ＢＢＢ、今夜１１時、関東地区放送開始”は受信機４には表示されない。
【００４６】
また、ＥＭ３のプライベート領域には、表示情報“ＺＺＺ、今夜１０時、近畿地区放送開始”とＴＳ識別子“７ＹＹＹ”とが記述されており、ＴＳ識別子がプライベート領域に記述されている。そこで、ＥＭ３のプライベート領域には記述されているＴＳ識別子と、ＥＭ３が送出されたＴＳのＴＳ識別子（プログラム中の“getProgramID”により取得される）とを比較する。ここでは、ＥＭ３のプライベート領域には記述されているＴＳ識別子は“７ＹＹＹ”であり、ＥＭ３が送出されたＴＳのＴＳ識別子は“７ＹＹＹ”である。従って、ＥＭ３のプライベート領域には記述されているＴＳ識別子と、ＥＭ３が送出されたＴＳのＴＳ識別子とが一致するので、図４に示す如く、“ＺＺＺ、今夜１０時、近畿地区放送開始”が受信機４に表示される。
【００４７】
このように本実施の形態によれば、ＴＳ受局２側で、提供情報を表示させたくないイベントメッセージをフィルタリングする手間が必要ない。
【００４８】
尚、上述した例では、イベントメッセージのプライベート領域に記載される放送エリアのＴＳ識別子（送信元識別情報）を一個とした例を説明したが、これに限ることなく、複数のＴＳ識別子（送信元識別情報）を記載しても良い。この場合、複数のＴＳ識別子（送信元識別情報）のうちいずれかのＴＳ識別子（送信元識別情報）が、プログラム中の“getProgramID”により取得されたＴＳ識別子（送信元識別情報）と一致すれば、提供情報を表示するように構成すれば良い。このようにすることで、提供情報の表示を制御できるエリアの数を複数にすることができる。
【００４９】
また、提供情報をプライベート領域に記載せず、送信元識別情報のみを記載し、イベントメッセージによる制御を有効又は無効にするようにしても良い。例えば、提供情報を別途モジュールに格納して送信し、その提供情報の表示をイベントメッセージにより制御する場合、イベントメッセージのプライベート領域に送信元識別情報を記載し、この送信元識別情報と受信したイベントメッセージの放送信号から取得した送信元識別情報とを照合し、イベントメッセージの有効・無効を判断するようにしても良い。
【００５０】
更に、上述した実施の形態では、イベントメッセージを例にして説明したが、モジュールについても同様な構成を取ることが可能である。この場合、モジュール内に送信元識別情報を含め、上述した同様な照合を行って、モジュール内の提供情報を表示すべきかを判断するようにすれば良い。
【００５１】
本発明の第２の実施の形態を説明する。
【００５２】
図５は本発明の第２の実施の形態における構成図である。
【００５３】
図５中、１００はＴＳ発局（例えば、キー局）であり、２００はＴＳ受局（例えば、ネットワーク局）である。
【００５４】
ＴＳ発局１００は、イベントメッセージを生成するイベントメッセージ生成部１１０と、ＢＭＬ文書や、イベントメッセージを多重化するデータ放送多重化部１２０と、データ放送と、本線側の映像、音声とを多重化する本線多重化部１３０とを備える。
【００５５】
イベントメッセージ生成部１１０は、提供情報（例えば、広告やメッセージ情報）と、表示制御に用いられるローカルフラグと、ＴＳを識別するＴＳ識別子とが、少なくともプライベートデータ領域に記載されたイベントメッセージを生成する。
【００５６】
データ放送多重化部１２０は、イベントメッセージ生成部１１０で生成されたイベントメッセージや、他のデータ放送に用いられるモジュール、ＢＭＬ文書等を多重する手段である。多重されるＢＭＬ文書には、イベントメッセージの表示判定プログラムも含む。この表示判定プログラムの一例を図６に示す。図６に示される例では、ローカルフラグ（localフラグ）が“１”のとき、プライベート領域に記述されているＴＳ識別子と、受信したイベントメッセージを送出したＴＳのＴＳ識別子とが一致しなければ、プライベート領域に記述されている提供情報を表示しないプログラムが記述されている。尚、イベントメッセージを送出したＴＳのＴＳ識別子は、プログラム中の“getProgramID”により取得される。
【００５７】
ＴＳ受局２００は、ＴＳ発局１と同様に、イベントメッセージを生成するイベントメッセージ生成部２１０と、ＢＭＬ文書や、イベントメッセージを多重化するデータ放送多重化部２２０と、データ放送と、本線側の映像、音声とを多重化する本線多重化部２３０とを備える。尚、ＴＳ受局２００は、ＴＳ発局１００に追加して、データ放送多重化部２２０において、ＴＳ発局１００から受信したイベントメッセージや、ＢＭＬ文書等も多重される。
【００５８】
次に、第２の実施の形態の動作を説明する。
【００５９】
まず、図５に示される如く、ＴＳ発局１００は、イベントメッセージ生成部１１０により、イベントメッセージ１（以下、単にＥＭ１と記載する）と、イベントメッセージ２（以下、単にＥＭ２と記載する）とを生成する。ＥＭ１のプライベート領域には、表示情報“ＡＡＡ、今夜１０時、全国放送開始”と、ローカルフラグ“０”と、ＴＳ識別子“７ＸＸＸ”とが少なくとも記述されている。また、ＥＭ２のプライベート領域には、表示情報“ＢＢＢ、今夜１１時、関東地区放送開始”と、ローカルフラグ“１”と、ＴＳ識別子“７ＸＸＸ”とが少なくとも記述されている。
【００６０】
これらのＥＭ１及びＥＭ２は、データ放送多重化部１２０により、イベントメッセージの表示判定プログラム（以下、単にＢＭＬと記載する）と共に多重化され、本線多重化部１３０に送出される。また、多重化されたＥＭ１、ＥＭ２及びＢＭＬは、ＴＳ受局２００にも送出される。
【００６１】
本線多重化部１３０では、多重化されたデータ放送のデータと本線側の映像、音声とが多重化されて、ＴＳ識別子“７ＸＸＸ”のＴＳからオンエアされる。
【００６２】
一方、ＴＳ受局２００は、イベントメッセージ生成部２１０により、イベントメッセージ３（以下、単にＥＭ３と記載する）を生成する。ＥＭ３のプライベート領域には、表示情報“ＺＺＺ、今夜１０時、近畿地区放送開始”と、ローカルフラグ“１”と、ＴＳ識別子“７ＹＹＹ”とが少なくとも記述されている。
【００６３】
このＥＭ３は、データ放送多重化部２２０により、ＴＳ発局１００から受信したＥＭ１、ＥＭ２及びＢＭＬと共に多重化され、本線多重化部２３０に送出される。
【００６４】
本線多重化部２３０では、多重化されたデータ放送のデータと本線側の映像、音声とが多重化されて、ＴＳ識別子“７ＹＹＹ”のＴＳからオンエアされる。
【００６５】
ＴＳ識別子“７ＸＸＸ”のＴＳを受信した受信機３００では、ＥＭ１、ＥＭ２及びＢＭＬが受信される。受信機３００は、ＢＭＬの表示判定プログラムにより、ＥＭ１、ＥＭ２の表示の判定を行う。
【００６６】
ここで、ＥＭ１のプライベート領域には、表示情報“ＡＡＡ、今夜１０時、全国放送開始”と、ローカルフラグ“０”と、ＴＳ識別子“７ＸＸＸ”とが少なくとも記述されており、ローカルフラグが“０”なので、図７に示す如く、受信機３にはＡＡＡ、今夜１０時、全国放送開始”が表示される。
【００６７】
また、ＥＭ２のプライベート領域には、表示情報“ＢＢＢ、今夜１１時、関東地区放送開始”と、ローカルフラグ“１”と、ＴＳ識別子“７ＸＸＸ”とが記述されており、ローカルフラグは“１”である。そこで、ＥＭ２のプライベート領域には記述されているＴＳ識別子と、ＥＭ２が送出されたＴＳのＴＳ識別子（プログラム中の“getProgramID”により取得される）とを比較する。ここでは、ＥＭ２のプライベート領域には記述されているＴＳ識別子は“７ＸＸＸ”であり、ＥＭ２が送出されたＴＳのＴＳ識別子は“７ＸＸＸ”である。従って、ＥＭ２のプライベート領域には記述されているＴＳ識別子と、ＥＭ２が送出されたＴＳのＴＳ識別子とが一致しているので、図７に示す如く、“ＢＢＢ、今夜１１時、関東地区放送開始”が受信機３００に表示される。
【００６８】
一方、ＴＳ識別子“７ＹＹＹ”のＴＳを受信した受信機４００では、ＥＭ１、ＥＭ２、ＥＭ３及びＢＭＬが受信される。受信機４００は、ＢＭＬの表示判定プログラムにより、ＥＭ１、ＥＭ２、ＥＭ３の表示の判定を行う。
【００６９】
ここで、ＥＭ１のプライベート領域には、表示情報“ＡＡＡ、今夜１０時、全国放送開始”と、ローカルフラグ“０”と、ＴＳ識別子“７ＸＸＸ”とが少なくとも記述されており、ローカルフラグが“０”なので、図８に示す如く、受信機４にはＡＡＡ、今夜１０時、全国放送開始”が表示される。
【００７０】
また、ＥＭ２のプライベート領域には、表示情報“ＢＢＢ、今夜１１時、関東地区放送開始”と、ローカルフラグ“１”と、ＴＳ識別子“７ＸＸＸ”とが記述されており、ローカルフラグは“１”である。そこで、ＥＭ２のプライベート領域には記述されているＴＳ識別子と、ＥＭ２が送出されたＴＳのＴＳ識別子（プログラム中の“getProgramID”により取得される）とを比較する。ここでは、ＥＭ２のプライベート領域には記述されているＴＳ識別子は“７ＸＸＸ”であり、ＥＭ２が送出されたＴＳのＴＳ識別子は“７ＹＹＹ”である。従って、ＥＭ２のプライベート領域には記述されているＴＳ識別子と、ＥＭ２が送出されたＴＳのＴＳ識別子とが一致しないので、“ＢＢＢ、今夜１１時、関東地区放送開始”は受信機４００には表示されない。
【００７１】
また、ＥＭ３のプライベート領域には、表示情報“ＺＺＺ、今夜１０時、近畿地区放送開始”と、ローカルフラグ“１”と、ＴＳ識別子“７ＹＹＹ”とが記述されており、ローカルフラグは“１”である。そこで、ＥＭ３のプライベート領域には記述されているＴＳ識別子と、ＥＭ３が送出されたＴＳのＴＳ識別子（プログラム中の“getProgramID”により取得される）とを比較する。ここでは、ＥＭ３のプライベート領域には記述されているＴＳ識別子は“７ＹＹＹ”であり、ＥＭ３が送出されたＴＳのＴＳ識別子は“７ＹＹＹ”である。従って、ＥＭ３のプライベート領域には記述されているＴＳ識別子と、ＥＭ３が送出されたＴＳのＴＳ識別子とが一致するので、図８に示す如く、“ＺＺＺ、今夜１０時、近畿地区放送開始”が受信機４００に表示される。
【００７２】
尚、上述した例では、イベントメッセージのプライベート領域に記載される放送エリアのＴＳ識別子（送信元識別情報）を一個とした例を説明したが、これに限ることなく、複数のＴＳ識別子（送信元識別情報）を記載しても良い。この場合、複数のＴＳ識別子（送信元識別情報）のうちいずれかのＴＳ識別子（送信元識別情報）が、プログラム中の“getProgramID”により取得されたＴＳ識別子（送信元識別情報）と一致すれば、提供情報を表示するように構成すれば良い。このようにすることで、提供情報の表示を制御できるエリアの数を複数にすることができる。
【００７３】
また、提供情報をプライベート領域に記載せず、ローカルフラグ及び送信元識別情報のみを記載し、イベントメッセージによる制御を有効又は無効にするようにしても良い。例えば、提供情報を別途モジュールに格納して送信し、その提供情報の表示をイベントメッセージにより制御する場合、イベントメッセージのプライベート領域にローカルフラグ及び送信元識別情報を記載し、まず、ローカルフラグを判断してローカルフラグ“１”ならば、その送信元識別情報と受信したイベントメッセージの放送信号から取得した送信元識別情報とを照合し、イベントメッセージの有効・無効を判断するようにしても良い。
【００７４】
更に、上述した実施の形態では、イベントメッセージを例にして説明したが、モジュールについても同様な構成を取ることが可能である。この場合、モジュール内にローカルフラグ及び送信元識別情報を含め、上述した同様な照合を行って、モジュール内の提供情報を表示すべきかを判断するようにすれば良い。
【図面の簡単な説明】
【００７５】
【図１】図１は本発明の第１の実施の形態における構成図である。
【図２】図２は第１の実施の形態におけるプログラムの一例である。
【図３】図３は本発明の第１の実施の形態を説明する為の図である。
【図４】図４は本発明の第１の実施の形態を説明する為の図である。
【図５】図５は本発明の第２の実施の形態における構成図である。
【図６】図６は第２の実施の形態におけるプログラムの一例である。
【図７】図７は本発明の第２の実施の形態を説明する為の図である。
【図８】図８は本発明の第２の実施の形態を説明する為の図である。
【符号の説明】
【００７６】
１          ＴＳ発局
２          ＴＳ受局
３，４      受信機
【図１】
2007282041.tif 000003
【図２】
2007282041.tif 000004
【図３】
2007282041.tif 000005
【図４】
2007282041.tif 000006
【図５】
2007282041.tif 000007
【図６】
2007282041.tif 000008
【図７】
2007282041.tif 000009
【図８】
2007282041.tif 000010